(57)【要約】【課題】汗とり用下着であって、その上に着た衣類を脱ぐことなく脱ぐことができ、従来の汗とり機能を有する下着と比べると、着用したままで、より長時間にわたり汗とり機能を発揮する、便利な汗とり用下着を提供する。【解決手段】左右の肩対応部１、２と、肩対応部に連続形成された背対応部３と、左肩対応部１に連続形成された左胸対応部４と、右肩対応部２に連続形成された右胸対応部５とを含み、胸対応部４、５は肩対応部１、２を介するつながりを除けば背対応部３とは分離されており、胸対応部４、５同士は、肩対応部１、２及び背対応部３を介するつながりを除けば互いに分離されており、肩対応部１、２、背対応部３及び胸対応部４、５のそれぞれは、通気性布６１に吸水蒸散性布材６２、６３を逢着してなる布材６で形成されている汗とり用下着Ａ。【選択図】      図１
0003123386.tif 000002
【実用新案登録請求の範囲】
【請求項１】
着用者の左右肩に当てがう左肩対応部及び右肩対応部と、
着用者の背に当てがう背対応部であって前記左右の肩対応部に連続形成された背対応部と、
着用者の左胸に当てがう左胸対応部であって、前記左肩対応部に連続形成された左胸対応部と、
着用者の右胸に当てがう右胸対応部であって、前記右肩対応部に連続形成された右胸対応部とを含んでおり、
前記左右の胸対応部は、前記左右の肩対応部を介するつながりを除けば前記背対応部とは分離されており、該左右の胸対応部同士は前記左右の肩対応部及び背対応部を介するつながりを除けば互いに分離されており、
前記左右の肩対応部、背対応部及び左右の胸対応部のそれぞれは、通気性布の少なくとも片面に汗水を吸収し蒸散させる機能を有する吸水蒸散性布材を逢着してなる布材を用いて形成されていることを特徴とする汗とり用下着。
【請求項２】
前記左右の肩対応部、背対応部及び左右の胸対応部のそれぞれは、前記通気性布の両面に前記吸水蒸散性布材を逢着してなる布材を用いて形成されている請求項１記載の汗とり用下着。
【請求項３】
前記左右の肩対応部、背対応部及び左右の胸対応部のそれぞれを形成している前記通気性布に前記吸水蒸散性布材を逢着してなる布材は、該通気性布に該吸水蒸散性布材をキルティング加工により逢着したものである請求項１又は２記載の汗とり用下着。
【考案の詳細な説明】
【技術分野】
【０００１】
本発明は汗とり用下着に関する。
【背景技術】
【０００２】
汗とり機能を有する下着は、従来、種々のタイプのものが提案されている。
例えば、特開２０００−３１４００５号公報にはノースリーブ下着であって、脇の下部に対応する部分に汗を吸収しやすい汗とり部材を縫い付けた下着が記載されている。
また、特開平１１−２４７００３号公報には、肌あて地に吸水体を設け、該吸水体の下面に着衣を設けた布材で縫製形成された汗とり機構を有する肌じゅばんが記載されている。
【０００３】
【特許文献１】特開２０００−３１４００５号公報
【特許文献２】特開平１１−２４７００３号公報
【考案の開示】
【考案が解決しようとする課題】
【０００４】
しかしながら、従来の汗とり機能を有する下着は、これを脱ぐには、その下着の上に着ている衣類をいちいち脱いでからでないと脱げない。
例えば、汗とり機能を有する下着を着用してハイキングに出掛けたとき、その下着に汗水が吸収され濡れて不快になってきたり、濡れのために体が冷えてきたりするために脱ごうとするときは、そのうえに着ている衣類を脱いでからでないと脱げず、面倒である。        
【０００５】
また、従来の汗とり機能を有する下着は、汗水を吸収すると、それを乾かすにはそれ相当の時間を要し、かといって濡れたままで再び着用すると極め不快であり、体の冷えを招く。
さらに従来の汗とり機能を有する下着は、汗水の吸収量に限りがあるから、発汗が多いときには、短時間で脱ぎたくなる、或いは脱がなければならなくなることがある。
【０００６】
そこで本考案は、汗とり用下着であって、その上に着た衣類を脱ぐことなく脱ぐことができ、従来の汗とり機能を有する下着と比べると、着用したままで、より長時間にわたり汗とり機能を発揮する、便利な汗とり用下着を提供することを課題とする。
【課題を解決するための手段】
【０００７】
前記課題を解決するため本考案は、
着用者の左右肩に当てがう左肩対応部及び右肩対応部と、
着用者の背に当てがう背対応部であって前記左右の肩対応部に連続形成された背対応部と、
着用者の左胸に当てがう左胸対応部であって、前記左肩対応部に連続形成された左胸対応部と、
着用者の右胸に当てがう右胸対応部であって、前記右肩対応部に連続形成された右胸対応部とを含んでおり、
前記左右の胸対応部は、前記左右の肩対応部を介するつながりを除けば前記背対応部とは分離されており、該左右の胸対応部同士は前記左右の肩対応部及び背対応部を介するつながりを除けば互いに分離されており、
前記左右の肩対応部、背対応部及び左右の胸対応部のそれぞれは、通気性布の少なくとも片面に汗水を吸収し蒸散させる機能を有する吸水蒸散性布材を逢着してなる布材を用いて形成されている汗とり用下着を提供する。
【０００８】
本考案に係る汗とり用下着は、それを着用しようとする者が、該汗とり用下着の左右の肩対応部を左右の肩にそれぞれ当てがい、該左右の肩対応部から背対応部を背側に垂らして背に当てがうとともに該左右の肩対応部から左右の胸対応部を胸側に垂らして左右の胸にそれぞれ当てがうようにして着用することができる。
【０００９】
このように着用した状態では、着用者の胸側において左右の胸対応部は互いに分離されているとともに、着用者の左右の脇側において、左右それぞれの胸対応部は背対応部と分離されている。
【００１０】
このように着用する本考案に係る汗とり用下着は、その上に衣類を着ていても、該衣類の例えば背側の襟口から、着用している汗とり用下着まで手を挿入し、該汗とり用下着を掴んで該襟口から引き上げ取り出すことで脱ぐことができる。汗とり用下着を脱ぐために、上に着ている衣類をいちいち脱がなくてもよく、それだけ使い勝手がよく、便利である。
【００１１】
また、本考案に係る汗とり用下着は、その左右の肩対応部、背対応部及び左右の胸対応部のそれぞれは、通気性布の少なくとも片面に、汗水を吸収するだけでなく、吸収した水分を蒸散させる機能をも有する吸水蒸散性布材を逢着してなる布材を用いて形成されているから、従来の汗とり用下着と比べると、着用したままで、より長時間にわたり汗とり機能を発揮させることができ、べとつき等の不快感や濡れによるからだの冷えを招かない状態で、或いは不快感や冷えが抑制された状態で、従来より長時間にわたり着用し続けることができる。
【００１２】
汗水を吸収するだけでなく、吸収した水分を蒸散させる機能をも有する吸水蒸散性布材としては、例えば、東レ株式会社製の吸水速乾性を有するニット素材「フィールドセンサー」（登録商標）や、東レ株式会社製繊維「セオアルファ」（登録商標）を用いた吸水速乾性布材を挙げることができる。
【００１３】
本発明に係る汗とり用下着を構成する前記吸水蒸散性布材を逢着する通気性布における「通気性布」には織物、編み物だけでなく、これらの組み合わせや、綿繊維等を集めた面状体等も含まれるが、いずれにしても、該通気性布としては、逢着された吸水蒸散性布材からの水分蒸散を、該通気性布を介しても可能にするものを採用すればよく、吸水蒸散性布材からの水分蒸散ができるだけ円滑になされるものであることが好ましい。
【００１４】
吸水蒸散性布材を逢着する通気性布としては、綿ガーゼ、綿ニット、ポリエステル中空糸布や、高吸水性、高吸湿性の繊維〔例えば、帝人ファイバー株式会社の高吸水性、高吸湿性の繊維「ベルオアシス」（登録商標）〕を集めてなる、中綿として使用できる面状体を例示することができる。
【００１５】
前記左右の肩対応部、背対応部及び左右の胸対応部のそれぞれは、前記通気性布の両面に前記吸水蒸散性布材を逢着してなる布材を用いて形成されていてもよい。
このように通気性布の両面に吸水蒸散性布材を逢着してなる布材を採用して形成した汗とり用下着は裏返して着用しも、汗とり機能を発揮させることができるので、より便利である。
【００１６】
いずれにしても、通気性布への吸水蒸散性布材の逢着の仕方は支障がなければどのようなものでもよいが、前記左右の肩対応部、背対応部及び左右の胸対応部のそれぞれを形成している前記通気性布に前記吸水蒸散性布材を逢着してなる布材としては、該通気性布に該吸水蒸散性布材をキルティング加工により逢着したものを推奨できる。
【００１７】
キルティング加工による逢着を採用した布材は、刺し縫いした部分に対し刺し縫いされていない部分が相対的に膨らみ、布材全体にクッション性のある凹凸が提供され、このようなクッション性を有する布材を用いて形成された汗とり用下着を着用すると、例えば荷物収納袋を背中に背負うような場合、該荷物収納袋による着用者の背の負荷を和らげることができる。例えばハイキングにおいてリュックサックを背負うようなときの、ハイキング用汗とり用下着として好適なものとなる。
【考案の効果】
【００１８】
以上説明したように本発明によると、汗とり用下着であって、その上に着た衣類を脱ぐことなく脱ぐことができ、また、従来の汗とり機能を有する下着と比べると、着用したままで、より長時間にわたり汗とり機能を発揮する、便利な汗とり用下着を提供することができる。
【考案を実施するための最良の形態】
【００１９】
以下本発明に係る汗とり用下着の１例について図面を参照して説明する。
図１は本発明に係る汗とり用下着の１例Ａの着用状態を示す正面図、図２は下着Ａの着用状態の背面図である。図３は下着Ａの着用状態の右側面図であり、図４は下着Ａの着用状態の左側面図である。図５は下着を形成している布材６の拡大概略断面図である。図６は下着Ａを脱ぎ取る例を示す図である。
【００２０】
汗とり用下着Ａは、
着用者Ｂの左右肩１ｂ、２ｂに当てがう左肩対応部１及び右肩対応部２と、
着用者Ｂの背３ｂに当てがう背対応部３と、
着用者Ｂの左胸４ｂに当てがう左胸対応部４と、
着用者Ｂの右胸５ｂに当てがう右胸対応部５とを含んでいる。
【００２１】
背対応部３は、左右の肩対応部１、２に一体的に連設されている。
左胸対応部４は、左肩対応部１に一体的に連設されている。
右胸対応部５は、右肩対応部２に一体的に連設されている。
【００２２】
左右の胸対応部４、５は、左右の肩対応部１、２を介するつながりを除けば背対応部３とは分離されている。左右の胸対応部４、５同士は左右の肩対応部１、２及び背対応部３を介するつながりを除けば互いに分離されている。
【００２３】
左右の肩対応部１、２、背対応部３及び左右の胸対応部４、５のそれぞれは、図５に示すように、通気性布６１の両面のそれぞれに、汗水を吸収し蒸散させる機能を有する吸水蒸散性布材６２、６３を逢着してなる布材６で形成されている。吸水蒸散性布材６２、６３は異なる参照符号で示しているが同じものである。                                      
【００２４】
吸水蒸散性布材６２、６３はキルティング加工により通気性布６１に逢着されており、刺し縫いされた部分６ａに対し刺し縫いされていない部分６ｂは相対的に膨らんでおり、全体としてクッション性のある凹凸面が提供されている。
【００２５】
吸水蒸散性布材６２、６３のそれぞれは、本例では、東レ株式会社製繊維「セオアルファ」（登録商標）を用いた吸水速乾性布材である。なお、吸水蒸散性布材は、東レ株式会社製の吸水速乾性を有するニット素材「フィールドセンサー」（登録商標）などでもよい。
【００２６】
通気性布６１は、これに逢着された吸水蒸散性布材６２、６３からの水分蒸散を該通気性布を介しても可能にするものである。例えば、高吸水性、高吸湿性の繊維〔例えば、帝人ファイバー株式会社の高吸水性、高吸湿性の繊維「ベルオアシス」（登録商標）〕を集めてなる、中綿として使用できる面状体を挙げることができる。
【００２７】
以上説明した汗とり用下着Ａは、それを着用しようとする者Ｂが、汗とり用下着Ａの左右の肩対応部１、２を左右の肩１ｂ、２ｂにそれぞれ当てがい、該左右の肩対応部から背対応部３を背３ｂ側に垂らして背３ｂに当てがうとともに該左右の肩対応部から左右の胸対応部４、５を胸側に垂らして左右の胸４ｂ、５ｂにそれぞれ当てがうようにして着用することができる。
【００２８】
このように着用した状態では、着用者Ｂの胸側において左右の胸対応部４、５は互いに分離されているとともに、着用者Ｂの左右の脇側において、左右それぞれの胸対応部４、５は背対応部３から分離されている。
【００２９】
このように着用する汗とり用下着Ａは、図６に例示するように、その上に衣類７を着ていても、あるいはさらに図示省略の荷物収納袋（例えばハイキング用リュックサック）を背負っていても、衣類７の例えば背側の襟口７１から、或いは必要に応じてさらに衣類７の第１ボタン等を外す程度のことで、着用している汗とり用下着Ａまで手を挿入し、該下着Ａを掴んで襟口７１から引き上げ取り出すことで脱ぐことができる。汗とり用下着Ａを脱ぐために、上に着ている衣類７等をいちいち脱がなくてもよく、それだけ使い勝手がよく、便利である。
【００３０】
また、下着Ａは、その左右の肩対応部１、２、背対応部３及び左右の胸対応部４、５のそれぞれが、通気性布６１に、汗水を吸収するだけでなく、吸収した水分を蒸散させる機能をも有する吸水蒸散性布材６２、６３を逢着してなる布材６で形成されているから、従来の汗とり用下着と比べると、着用したままで、より長時間にわたり汗とり機能を発揮させることができ、汗濡れによるべとつき等の不快感や着用者の体の冷え或いは冷感を招くことなく、或いは不快感や冷え、冷感が少ない状態で、従来より長時間にわたり着用し続けることができる。
【００３１】
また、布材６は既述のとおりキルティング加工により通気性布６１に吸水蒸散性布材６２、６３を逢着したものであって、全体的にクッション性のある凹凸を呈しているから、例えば荷物収納袋を背中に背負うような場合、該荷物収納袋による着用者Ｂの背３ｂの負荷を和らげることができる。下着Ａは、例えばハイキングにおいてリュックサックを背負うようなときの、ハイキング用汗とり用下着として好適なものである。
【００３２】
左右の肩対応部１、２、背対応部３及び左右の胸対応部４、５のそれぞれは、通気性布６１の片面にのみ吸水蒸散性布材６２又は６３を逢着してなる布材で形成されてもよい。  しかし、下着Ａにおけるように、通気性布６１の両面に吸水蒸散性布材６２、６３を逢着してなる布材６で形成すれば、汗とり用下着Ａを裏返して着用しも、汗とり機能を発揮させることができるので、より便利である。
【００３３】
また、例えばハイキング用汗とり下着として着用した場合等において、背３ｂに背負う物（例えばハイキングのときのリュックサック）による背３ｂの負荷をより和らげることができる。
【産業上の利用可能性】
【００３４】
本発明は汗とり用下着を提供することに利用できる。
【図面の簡単な説明】
【００３５】
【図１】本発明に係る汗とり用下着の１例の着用状態を示す正面図である。
【図２】図１に示す下着の着用状態の背面図である。
【図３】図１に示す下着の着用状態の右側面図である。
【図４】図１に示す下着の着用状態の左側面図である。
【図５】汗とり用下着を形成している布材の拡大概略断面図である。
【図６】汗とり用下着を脱ぎ取る例を示す図である。
【符号の説明】
【００３６】
Ａ            汗とり用下着
Ｂ            下着着用者
１            左肩対応部
１b           着用者の左肩
２            右肩対応部
２b           着用者の右肩
３            背対応部
３b           着用者の背
４            左胸対応部
４b           着用者の左胸
５            右胸対応部
５b           着用者の右胸
６            布材
６１          通気性布
６２、６３    吸水蒸散性布材
６ａ          刺し縫い部分
６ｂ          刺し縫いされていない部分
７            衣類
７１          衣類の襟口
【図１】
0003123386.tif 000003
【図２】
0003123386.tif 000004
【図３】
0003123386.tif 000005
【図４】
0003123386.tif 000006
【図５】
0003123386.tif 000007
【図６】
0003123386.tif 000008